(57)【要約】  人間２の頭毛１をスチーム処理するための、自動スイッチオフ機構及びスチームフード４を備える装置３．２。スチームフード４の内部には、アンモニア排出値Ｖｘ１〜Ｖｘｎを記録するためのセンサ７がある。アンモニアセンサ７は、アンモニア排出値Ｖｘ１〜Ｖｘｎを測定するための測定ユニット８に接続され、ここで測定ユニット８は制御ユニット６に接続される。装置３．２又はスチームフード４はそれぞれ、制御ユニット６により制御可能な抽出ユニット５を有しており、人間（２）の（上方）前額領域（Ａ）又は目／鼻領域（Ｂ）付近の周囲空気を抽出する。抽出ユニット５は、スチーム処理の開始時に制御ユニット６により自動的に起動される。事前設定アンモニア排出値Ｖ１に収束する又はそれを下回ることにより、抽出ユニット５は、自動的に動作を停止する。好ましくは、制御が単純であり（オンオフ機能及びファン性能において）、非常に費用効率が高い電動ファン１０（図５）が、抽出ユニット５として使用され、これはスチームフード４の内部又はその上にコンパクトに配置することができる。
2010500095.tif 000002
【特許請求の範囲】
【請求項１】
スチームフードを備える装置で人間の頭毛をスチーム処理するための方法であって、
前記頭毛は、アンモニアを含有する薬品で予め処理されており、
前記スチーム処理の開始時（ｔｏ）に、前記人間（２）の前額領域（Ａ）又は目／鼻領域（Ｂ）付近の周囲空気は、制御可能な抽出ユニットにより自動的に抽出され、
事前設定時間（ｔａ）が経過した後、前記抽出ユニット（５）は、自動的に動作を停止することを特徴とする方法。
【請求項２】
スチームフードを備える装置で人間の頭毛をスチーム処理するための方法であって、
前記頭毛は、アンモニアを含有する薬品で予め処理されており、
前記スチーム処理の開始時（ｔｏ）に、前記人間（２）の前額領域（Ａ）又は目／鼻領域（Ｂ）付近の周囲空気は、制御可能な抽出ユニット（５）により自動的に抽出され、
前記スチームフード（４）内のアンモニア排出（Ｃ）は、継続的に記録され、アンモニア排出値（Ｖｘ１〜Ｖｘｎ）として測定され、事前設定アンモニア排出値（Ｖ１）と比較され、
前記事前設定アンモニア排出値（Ｖ１）に達したときに、前記抽出ユニット（５）は、自動的に動作を停止することを特徴とする方法。
【請求項３】
人間の頭毛を処理するためのスチームフードを備える装置であって、
前記頭毛は、アンモニアを含有する薬品で予め処理されており、
前記装置（３．１）は、前記人間（２）の前額領域（Ａ）又は目／鼻領域（Ｂ）付近の周囲空気を抽出する制御可能な抽出ユニット（５）を有しており、
抽出ユニット（５）は、前記スチーム処理の開始時（ｔｏ）に制御ユニット（６）により起動され、事前設定時間（ｔａ）の終了後に動作を停止することを特徴とする装置。
【請求項４】
前記制御ユニット（６）は、時限スイッチ（９）であることを特徴とする、請求項３に記載の装置。
【請求項５】
人間の頭毛をスチーム処理するためのスチームフードを備える装置であって、
前記頭毛は、アンモニアを含有する薬品で予め処理されており、
前記スチームフード（４）内には、アンモニア排出値（Ｖｘ１〜Ｖｘｎ）を記録するためのセンサ（７）が配置され、
前記センサ（７）は、アンモニア排出値（Ｖｘ１〜Ｖｘｎ）を測定するための測定ユニット（８）に接続され、
前記測定ユニット（８）は、制御ユニット（６）に接続され、
前記装置（３．２）は、前記人間（２）の前額領域（Ａ）又は目／鼻領域（Ｂ）付近の周囲空気を抽出する抽出ユニット（５）を有しており、
前記抽出ユニット（５）は、前記制御ユニット（６）により制御可能であり、
前記抽出ユニット（５）は、前記スチーム処理の開始時（ｔｏ）に前記制御ユニット（６）により自動的に起動され、
事前設定アンモニア排出値（Ｖ１）が、記録された前記アンモニア排出値（Ｖｘ１〜Ｖｘｎ）に収束したときに、前記抽出ユニット（５）は、自動的に動作を停止することを特徴とする装置。
【請求項６】
前記抽出ユニットは（５）は、前記人間（２）の前額領域（Ａ）又は目／鼻領域（Ｂ）付近の周囲空気の抽出が行われるように、前記スチームフード（４）の内部又は外部に配置されることを特徴とする、請求項３又は５に記載の装置。
【請求項７】
前記抽出ユニット（５）内には、電動ファン（１０）が配置されることを特徴とする、請求項３又は５に記載の装置。
【発明の詳細な説明】
【技術分野】
【０００１】
本発明は、それぞれ請求項１又は２のプリアンブルに基づく頭毛のスチーム処理方法、並びに、それぞれ請求項３又は５のプリアンブルに基づく頭毛のスチーム処理装置に関する。
【背景技術】
【０００２】
得られる好ましい結果のために、頭毛のスチーム処理は、通常、美容院で髪染め剤の塗布中、装置（スチーム装置）の助けにより実施される。このような装置は、例えば国際特許公開第２００５／００１３３７Ａ１号の様々な実施形態で既知である（図７）。かかる装置では、頭毛に髪染め剤が塗布されている人間（美容師の顧客）の頭に位置するスチームフード内に噴霧器を通してスチームが吹きつけられる。化学的プロセス及びスチームの熱作用を通じてアンモニアが放出される。新たなスチームが絶えず発生するため、アンモニアはスチームとともにスチームフードから排出され、人間の目及び鼻に至り、そこに刺激を引き起こす場合がある。さらに、結果として有害臭が生じる場合がある。
【先行技術文献】
【特許文献】
【０００３】
【特許文献１】国際特許公開第２００５／００１３３７Ａ１号
【発明の概要】
【発明が解決しようとする課題】
【０００４】
本発明の課題は、単純な手段により、この刺激及び／又は有害臭を、対応する頭毛のスチーム処理中に防ぐことである。
【課題を解決するための手段】
【０００５】
課題は、それぞれ請求項１又は２又は３又は５の特徴によって解決された。本発明のさらなる実施形態は、それぞれの従属項から得られる。
【０００６】
本発明は、幾つかの実施形態の例を用いて、より詳細に説明される。
【図面の簡単な説明】
【０００７】
【図１】第１方法のフローチャート。
【図２】第２方法のフローチャート。
【図３】先行技術の装置の側面図。
【図４】時限スイッチを備える第１装置の側面図。
【図５】自動スイッチオフ機構を備える第２装置の側面図。
【図６】図５による第２装置の詳細な態様の断面図。
【図７】図５による装置のブロック図。
【図８】図５による装置の平面図。
【図９】それぞれ、スチームフードを取り外した図４及び図５による装置の斜視図。
【発明を実施するための形態】
【０００８】
設定した課題の原則的な解決法は、スチームフード４の前側領域１２においてアンモニアＣに富むスチーム１１を抽出することである。これは、好ましくは、電動ファン１０を用いて実施される。このファン１０は、好ましくは、スチームフード４の前側領域１２に直接取り付けられる。ファン１０の吸気口１３は、スチーム１１の抽出が目１４の上の領域で主に行われるよう設計されている。アンモニア排出Ｃは、スチーム処理の過程の間、刺激又は有害臭が発生できない程度に減少するため、この時点から、ファン１０は事前設定時間ｔａでスイッチが切れるか、又は事前設定アンモニア排出値Ｖ１で動作が停止する。
【０００９】
ファン１０はまた、例えばスチーム１１の出力を支持するために、装置３．２内に設置してもよい。この場合、吸気口１３は、スチームフード４を通過し、目１４の付近に出る。
【００１０】
抽出される空気の量Ｄは、電動ファン１０の使用により制御される。この制御は、（事前設定）時間ｔａの間、又はアンモニア排出Ｃの濃度が測定される抽出された空気１６中に位置するアンモニアセンサ７を通して行うことができ、ファン１０も同様に調節される。
【００１１】
空気中のアンモニア排出Ｃの濃度は処理中変化するため、正確な量の空気１６は、目１４の刺激を避けるために、制御されたファン１０で常に抽出することができる。一方、不可欠な空気１６の量のみが抽出される。この方法では、頭毛１の湿気が均一に得られ、頭毛１上で非常に一貫性のある着色反応が達成される。
【００１２】
図１は、スチームフード４を備える装置３．１で、アンモニアＣを含有する（髪染めの）薬品で既に処理されている人間２の頭毛１をスチーム処理するための第１方法のフローチャートを示す。スチームフード４上の制御可能な抽出ユニット５は、スチーム処理の開始時に制御ユニット６により起動され、この手段によりスチームフード４からの非常に悪臭のするアンモニアガス（アンモニア排出Ｃ）は人間２の顔領域Ｆ（特に目及び鼻領域Ｂ）に広がることができない。事前設定時間ｔ１が経過した後、抽出ユニット５は動作を停止する。スチーム処理の終了時ｔｂには、装置３．１（図４）は自動的にスイッチが切れる。
【００１３】
図２は、スチームフード４を備える装置３．２で、アンモニアを含有する薬品で最初に処理された人間２の頭毛１のスチーム処理をするための第２方法のフローチャートを示す。スチームフード４上の制御可能な抽出ユニット５は、スチーム処理の開始時に制御ユニット６により起動され、スチーム処理のさらなる過程の間、アンモニア排出Ｃはスチームフード４の内部に取り付けられたセンサ７により記録され、測定ユニット８により測定される（Ｖｘ１〜Ｖｘ５）。測定ユニット８は、制御ユニット６に接続され、事前設定アンモニア排出値Ｖｘ５＝Ｖ１に達したとき又はそれに達しないとき、抽出ユニット５は制御ユニット６により動作が停止する。スチーム処理の終了時ｔｂには、装置３．２（図５）は自動的にスイッチが切れる。
【００１４】
図３は、先行技術の装置３の側面図を示す。処理された頭毛１からのアンモニア排出Ｃは、人間２の目／鼻領域Ｂに達し、刺激及び有害臭をもたらし得ることが、これから明らかである。
【００１５】
図４は、アンモニアを含有する薬品で予め処理された人間２の頭毛１をスチーム処理するためのスチームフード４を備える第１装置３．１の側面図を概略的に示す。装置３．１は、人間（２）の（上方）前額領域（Ａ）又は目／鼻領域（Ｂ）付近の周囲空気を抽出する吸気口１３を備える制御可能な抽出ユニット５を有する。抽出ユニット５は、スチーム処理の開始時に制御ユニット６により起動され、所定の時間ｔａが経過した後動作を停止する。時限スイッチ９は制御ユニット６として取り付けられる。抽出ユニット５は、好ましくは電動ファン１０であり、これは好ましくはスチームフード４の前側領域１２に取り付けられる。この方法で、アンモニアガスの目／鼻領域Ｂ（目１４、鼻１５）への流れは、事実上妨げられる。ファン１０を通して抽出された空気１６の空気の量Ｄの制御を計画することが可能である。
【００１６】
図５は、人間２の頭毛１のスチーム処理のための自動スイッチオフ機構及びスチームフード４を備える第２装置３．２の側面図を示す。スチームフード４の内部には、アンモニア排出値Ｖｘ１〜Ｖｘｎを記録するセンサ７が配置される。アンモニアセンサ７は、アンモニア排出値Ｖｘ１〜Ｖｘｎを測定するための測定ユニット８に接続され、ここで測定ユニット８は制御ユニット６に接続される。装置３．２又はスチームフード４はそれぞれ、制御ユニット６により制御可能な抽出ユニット５を有しており、人間２の（上方）前額領域Ａ又は目／鼻領域Ｂ付近の周囲空気を抽出する。抽出ユニット５は、スチーム処理の開始時に制御ユニット６により自動的に起動される。事前設定アンモニア排出値Ｖ１に収束する又はそれを下回ることにより、抽出ユニット５は、自動的に動作を停止する。好ましくは、スチームフード４内又は上にきちんと配置することができ、操作が単純であり（オンオフ機能及びファン性能において）、非常に費用効率が高い電動ファン１０が、抽出ユニット（５）として使用される。
【００１７】
抽出ユニット５は、人間２の前額領域Ａ又は目／鼻領域Ｂ付近で周囲空気の抽出が行われるようにスチームフード４の内部又は外部に配置され、抽出ユニット５内には、電動ファン１０が配置される。
【００１８】
例えば、チップ形態の光電子アンモニアセンサを、センサ７として使用することができる。
【００１９】
図６は、図５による第２装置３．２の詳細な態様を断面図として示す。
【００２０】
図７は、それぞれ図５又は図２による、装置３．２のブロック図を示す。スチームフード４上の制御可能な抽出ユニット５は、スチーム処理の開始時に制御ユニット６により起動され、ここでスチーム処理のさらなる過程の間、アンモニア排出Ｃはスチームフード４内に配置されたセンサ７により記録され、測定ユニット８により測定される（Ｖｘ１〜Ｖｘ５）。測定ユニット８は制御ユニット６に接続されており、ここで事前設定アンモニア排出値Ｖｘ５＝Ｖ１に到達する又はそれを下回るとき、抽出ユニット５は制御ユニット６により自動的に動作を停止される。スチーム処理の終了時ｔｂには、装置３．２（図５）は自動的にスイッチが切られる。
【００２１】
図８は、図５による装置３．２の平面図を示す。特に、吸気口１３がおおよそ人間２の顔の幅を有することが、ここでは明らかである。
【００２２】
図９は、スチームフード４を取り外した、それぞれ図４及び図５による装置３．１、３．２の斜視図を示す。スチームスプレー１８が、ここで特に明らかである。
【００２３】
参照一覧
１  頭毛
２  人間
３．１  第１装置
３．２  第２装置
４  スチームフード
５  抽出ユニット
６  制御ユニット
７  アンモニアセンサ
８  測定ユニット
９  時限スイッチ
１０  ファン
１１  スチーム
１２  前側領域／スチームフード４
１３  吸気口
１４  目
１５  鼻
１６  抽出された空気
１７  排気
１８  スチームスプレー
ｔｏ  開始／スチーム処理
ｔａ  事前設定時間
ｔｂ  スチーム処理の終了
ｔ１〜ｔｎ  測定時点
Ａ  前額領域
Ｂ  目／鼻領域
Ｃ  アンモニア排出
Ｄ  空気量
Ｖｘ１〜Ｖｘｎ  アンモニア排出値
Ｖ１  事前設定アンモニア排出値
【００２４】
本明細書に開示される寸法及び値は、列挙された正確な数値に厳しく制限されるものとして理解されるべきではない。それよりむしろ、特に指定されない限り、こうした各寸法は、列挙された値とその値周辺の機能的に同等の範囲との両方を意味することを意図する。例えば、「４０ｍｍ」として開示された寸法は、「約４０ｍｍ」を意味することを意図する。
【図１】
2010500095.tif 000003
【図２】
2010500095.tif 000004
【図３】
2010500095.tif 000005
【図４】
2010500095.tif 000006
【図５】
2010500095.tif 000007
【図６】
2010500095.tif 000008
【図７】
2010500095.tif 000009
【図８】
2010500095.tif 000010
【図９】
2010500095.tif 000011
【国際調査報告】
2010500095.tif 000012
2010500095.tif 000013
2010500095.tif 000014